(57)【要約】      （修正有）【課題】摺動可能な障子を備える建具において、跳ね返りや吹き込みによるレールを越えた室内側への水の侵入を効果的に防止できる構成を提供する。【解決手段】建具が備える内障子２０の下框２２は、室内側レール１２３の上部を見込方向で挟む形状に形成され、室内側レール１２３には、少なくとも見込方向室外側に延出する庇部１５２が形成される。庇部１５２は、室内側レール１２３の上端から連続して見込方向室外側に延出する。【選択図】図８
2019163658.tif 000002
【特許請求の範囲】
【請求項１】
レールを有する下枠及び前記レールに対して摺動可能な障子を備える建具において、
前記障子が有する下框は、前記レールの上部を見込方向で挟む形状に形成され、
前記レールには、少なくとも見込方向室外側に延出する庇部が形成される建具。
【請求項２】
前記庇部は、前記レールの上端から連続して見込方向室外側に延出する請求項１に記載の建具。
【請求項３】
前記庇部は、前記レールに対して見込方向室外側のみに延出する請求項１又は２に記載の建具。
【請求項４】
前記下框の下部には、前記レールの見込方向室内側に延びる框側庇部を有する請求項１から３の何れかに記載の建具。
【請求項５】
前記下框の下面には、該下框の室外側の下端部及び前記庇部の上部の少なくとも何れか一方に接触する框側水切材が配置される請求項１から４の何れかに記載の建具。
【発明の詳細な説明】
【技術分野】
【０００１】
本発明は、レールを有する下枠及び前記レールに対して摺動可能な障子を備える建具に関する。
【背景技術】
【０００２】
従来、引戸や引違い窓等の摺動可能な障子を備える建具において、室外側からの雨水の侵入を防止するための構造を備えるものが知られている。この種の技術を開示するものとして特許文献１がある。
【０００３】
特許文献１には、召合せ部空間が室外空間と等圧な等圧空間とされるとともに、強風を伴った雨水が下枠と内障子との隙間から吹き込んだとしても、この雨水が越えることができない高さ寸法を有したＡＴ材によって阻止する構成について記載されている。これによって、内外の召合せ框間から室内空間への雨水の浸入を防止して水密性能の向上を図ることができるとしている。
【先行技術文献】
【特許文献】
【０００４】
【特許文献１】特開２００７−５１５３５号公報
【発明の概要】
【発明が解決しようとする課題】
【０００５】
ところで、下枠に雨水が当たって跳ね返った水や室外側から吹きこんだ水が障子を支持するレールを越えて、室内側に浸入することがある。引き違い窓であっても、内障子は室外側に位置するため、内障子を支持するレールを越えれば室内側に水が侵入してしまうことになる。特に、高層ビルでは吹き込みも強く、水密性能の更なる向上が望まれていた。
【０００６】
本発明は、摺動可能な障子を備える建具において、跳ね返りや吹き込みによるレールを越えた室内側への水の侵入を効果的に防止できる構成を提供することを目的とする。
【課題を解決するための手段】
【０００７】
本発明は、レール（例えば、後述の室内側レール１２３）を有する下枠（例えば、後述の下枠１２）及び前記レールに対して摺動可能な障子（例えば、後述の内障子２０）を備える建具（例えば、後述の建具１）において、前記障子が有する下框（例えば、後述の下框２２）は、前記レールの上部を見込方向で挟む形状に形成され、前記レールには、少なくとも見込方向室外側に延出する庇部（例えば、後述の庇部１５２）が形成される建具に関する。
【０００８】
前記庇部は、前記レールの上端から連続して見込方向室外側に延出することが好ましい。
【０００９】
前記庇部は、前記レールに対して見込方向室外側のみに延出することが好ましい。
【００１０】
前記下框の下部には、前記レールの見込方向室内側に延びる框側庇部（例えば、後述の框側庇部２２５）を有することが好ましい。
【００１１】
前記下框の下面には、該下框の室外側の下端部及び前記庇部の上部の少なくとも何れか一方に接触する框側水切材（例えば、後述の框側水切材７０）が配置されることが好ましい。
【発明の効果】
【００１２】
本発明の建具によれば、跳ね返りや吹き込みによるレールを越えた室内側への水の侵入を効果的に防止できる。
【図面の簡単な説明】
【００１３】
【図１】本発明の一実施形態に係る建具を室内側から見た姿図である。
【図２】本実施形態の建具の縦断面図である。
【図３】本実施形態の建具の横断面図である。
【図４】本実施形態の建具が備える下枠を示す拡大縦断面図である。
【図５】本実施形態の外障子の外側煙返し部と内障子の内側煙返し部が見込方向で対向している様子を示す拡大横断面図である。
【図６】本実施形態の下枠に配置される下枠風止板を示す平面図である。
【図７】本実施形態の下枠に配置される下枠風止板を示す正面図である。
【図８】本実施形態の室内側レールに形成される庇部を示す拡大縦断面図である。
【図９】本実施形態の内障子の下框に取り付けられる框側水切材の平面図である。
【図１０】本実施形態の内障子の下框に取り付けられる框側水切材の側面図である。
【図１１】本実施形態の室内側レールに係合する内障子の下框を示す斜視図である。
【発明を実施するための形態】
【００１４】
以下、本発明の好ましい実施形態について、図面を参照しながら説明する。なお、本明細書において、「見付方向」とは、建物に形成された開口部に納められた建具における障子の面方向を意味し、「見込方向」とは、上記障子の厚み方向を意味する。
【００１５】
図１は、本発明の一実施形態に係る建具１を室内側から見た姿図である。図２は、本実施形態の建具１の縦断面図である。図３は本実施形態の建具１の横断面図である。
【００１６】
本実施形態の建具１は、建物の開口部に固定される枠体１０と、枠体１０の内側で摺動可能に配置される内障子２０及び外障子４０と、外障子４０の更に室外側で摺動可能に配置される網戸５０と、を主要な構成として備える引違い窓である。
【００１７】
枠体１０は、上枠１１、下枠１２及び左右の縦枠１３，１４が略矩形に枠組みされて構成される。上枠１１、下枠１２及び左右の縦枠１３，１４は、アルミの押出し成形品であり、金属製である。
【００１８】
上枠１１について説明する。上枠１１の下面には、内障子２０の上部を挟み込む室内側溝部１１１と、外障子４０の上部を挟み込む室外側溝部１１２と、が形成される。室内側溝部１１１及び室外側溝部１１２は、何れも下方に開口するとともに左右方向に延びる溝である。室内側溝部１１１と室外側溝部１１２は、見込方向で隣接している。
【００１９】
下枠１２について説明する。下枠１２の見込方向室内側端部には、上方に立ち上がる室内側立ち上がり部１２０が形成される。室内側立ち上がり部１２０における室外側の見付面上部には気密材１２２を嵌合する嵌合部１２１が形成される。
【００２０】
下枠１２の室内側立ち上がり部１２０の室内側には、当該室内側立ち上がり部１２０に対向するように上方に延出する室内側レール１２３が形成される。室内側レール１２３の室外側の見付面には、見込方向室外側に延び出る延出片１２４が形成される。延出片１２４の室外側の端部には、気密材１２６を嵌合する嵌合部１２５が形成される。
【００２１】
室内側レール１２３の基端部には、延出片１２４の下方には、下方に傾斜しつつ室外側に向かった後、水平方向に沿って室外側に向かう底面部１２７が形成される。底面部１２７の室外側端部には、室外側レール１２８が形成される。
【００２２】
室外側レール１２８の室外側に下側に下がる段差部１２９が形成される。この段差部１２９の室外側端部には、上方に立ち上がる室外側立ち上がり部１３０が形成される。室外側立ち上がり部１３０は、その見付面に排水孔１３１が形成される。
【００２３】
縦枠１３の内側の見込面には内障子２０に対向する衝突防止部材１３５が配置されるとともに、縦枠１４の内側の見込面には外障子４０の衝突防止部材１３６が配置される。
【００２４】
内障子２０及び外障子４０は、何れも引き戸であり、これらを左右方向（見付方向）にスライドさせることで、開口部が閉鎖又は開放される。図１では、内障子２０及び外障子４０の両方が閉鎖位置にある状態が示されている。
【００２５】
内障子２０について説明する。内障子２０は、上框２１、下框２２及び左右の縦框である召内框２３，戸先框２４により矩形に枠組みされた框体２５と、框体２５内に嵌め込まれて固定された面材としての複層ガラス２６と、を含んで構成される。
【００２６】
上框２１は、中空部を有する上框本体部２１０と、上框本体部２１０の下側に形成され、複層ガラス２６の端部が挟み込まれるガラス溝部２１１と、を備える。
【００２７】
下框２２は、中空部を有する下框本体部２２０と、下框本体部２２０の上側に形成され、複層ガラス２６の端部が挟み込まれるガラス溝部２２１と、下框本体部２２０の下側に形成されるカバー部２２２と、を備える。下框本体部２２０の下面には、複数の戸車２７が回転可能に配置される。
【００２８】
召内框２３は、中空部を有する召内框本体部２３０と、召内框本体部２３０の戸先側（戸先框２４側）に形成され、複層ガラス２６の端部が挟み込まれるガラス溝部２３１と、を備える。召内框本体部２３０の室外側の見付面には、気密材２３３が配置される嵌合部２３２と、嵌合部２３２の戸先側で見込方向室外側に延びた後、見付方向の縦枠１４側に屈曲する召内側煙返し部２３５と、が形成される。また、図１に示すように、召内框２３には戸締り用のクレセント錠２９（図２及び図３において図示省略）が配置される。
【００２９】
戸先框２４は、中空部を有する戸先框本体部２４０と、戸先框本体部２４０の縦枠１３側に形成され、複層ガラス２６の端部が挟み込まれるガラス溝部２４１と、を備える。戸先框本体部２４０の縦枠１４側には、クッション材２４３が嵌合する嵌合部２４２が形成される。
【００３０】
外障子４０について説明する。外障子４０は、上框４１、下框４２及び左右の縦框である召外框４３，戸先框４４により矩形に枠組みされた框体４５と、框体４５内に嵌め込まれて固定された面材としての複層ガラス４６と、を含んで構成される。
【００３１】
框体４５のうち、上框４１、召外框４３及び戸先框４４は、内障子２０の上框２１、召内框２３及び戸先框２４と略同様の構成である。上框４１は、上框本体部４１０とガラス溝部４１１を備える。召外框４３は、召内框本体部４３０とガラス溝部４３１を備え、召内框本体部４３０の室内側の見付面には、見込方向室内側に延びた後、見付方向の縦枠１３側に屈曲する召外側煙返し部４３５が形成される。召外側煙返し部４３５は、室内側から召内側煙返し部２３５に見込方向で対向する。戸先框４４は、戸先框本体部４４０と、ガラス溝部４４１と、を備える。戸先框本体部４４０の縦枠１３側には、クッション材４４３が嵌合する嵌合部４４２が形成される。
【００３２】
下框４２は、中空部を有する下框本体部４２０と、下框本体部４２０の上側に形成され、複層ガラス４６の端部が挟み込まれるガラス溝部４２１と、下框本体部４２０の下側に形成され、複数の戸車４７が回転可能に配置される戸車支持部４２２と、を備える。
【００３３】
戸車支持部４２２の室外側の見付面下部には、下側に延出する下框延出部４２５が形成されており、後述する下枠１２の室外側立ち上がり部１３０に見込方向で対向する位置関係にある。下框延出部４２５は、下框４２の長手方向に沿って形成されており、室外側立ち上がり部３０との間に隙間を形成する。この下框延出部４２５の下端部には水切材４２７（図３において図示省略）を保持する嵌合部４２６が形成される。
【００３４】
図２に示すように、網戸５０は、外障子４０の室外側で摺動可能に上枠１１及び下枠１２に取り付けられる。網戸５０は、上枠１１の室外側溝部１１２を室外側で形成する室外側壁部１１３は、網戸５０の上部５１が係合する係合部として機能する。また、下枠１２の室外側立ち上がり部１３０が網戸５０の下部５２が係合する係合部として機能する。なお、図３以降において網戸５０の図示は省略している。
【００３５】
図４は、本実施形態の建具１が備える下枠１２を示す拡大縦断面図である。図５は、本実施形態の外障子４０の召外側煙返し部４３５と内障子２０の召内側煙返し部２３５が見込方向で対向している様子を示す拡大横断面図である。
【００３６】
外障子４０の召外框４３は外側に面している。ここで、閉鎖位置の外障子４０を基準とすると、召外框４３の縦枠１４に対向する見込面は室外側となり、下枠１２における外障子４０の縦枠１４側も室外側となる。一方で、外障子４０の召外框４３よりも縦枠１３側は、内障子２０によって室外側から隔てられており、室内側に位置することになる。以下の説明において、外障子４０の見付方向の縦枠１４側を見付方向の室外側とし、見付方向の縦枠１３側を見付方向の室内側として説明する場合がある。
【００３７】
図４及び図５の鎖線に示すように、下枠１２の上面には下枠風止板６０が配置される。下枠風止板６０は、閉鎖位置にある内障子２０の召内框２３に上下方向視で重なる位置関係になっている。
【００３８】
図６は、本実施形態の下枠１２に配置される下枠風止板６０を示す平面図である。図７は、本実施形態の下枠１２に配置される下枠風止板６０を示す正面図であり、図６の矢印Ａの方向で見た様子が模式的に示されている。図６及び図７に示すように、本実施形態の下枠１２の延出片１２４の見込面１２４ａには加工穴（開口）７０が形成されている。下枠風止板６０は、延出片１２４における加工穴７５に対して隣接配置される。本実施形態では、下枠風止板６０は、加工穴７５における見付方向の室内側の端面に沿っている。
【００３９】
下枠風止板６０は、見込方向室内側に延出する室外側延出部６１と、見込方向室内側に延出する室内側延出部６２と、を備える。下枠風止板６０の室外側延出部６１は、内障子２０が閉鎖位置にある状態で、召内側煙返し部２３５の下部に接触するとともに、室外側を向く先端面が外障子４０に見込方向で対向している。
【００４０】
次に、室内側レール１２３の詳細な構成について説明する。図８は、本実施形態の室内側レール１２３に形成される庇部１５２を示す拡大縦断面図である。
【００４１】
図８に示すように、本実施形態の室内側レール１２３は、下枠１２の見込面から上方に延出する支持部１５０と、支持部１５０から見込方向室外側に延出するレール部１５１と、レール部１５１から更に見込方向室外側に延出する庇部１５２と、を備える。
【００４２】
レール部１５１は、戸車２７が係合する部分である（図４参照）。レール部１５１は、球面状に形成されている。レール部１５１を支持する支持部１５０は、当該レール部１５１の見込方向中心よりも室内側に位置しており、清掃性の高い室内側レール１２３を実現している。
【００４３】
庇部１５２は、レール部１５１の上面から滑らかに連続しており、水平方向に沿う直線状に形成される。庇部１５２は、レール部１５１に沿って左右方向（見付方向）にも連続して形成されている（図１１参照）。この庇部１５２の下面１５５は、延出片１２４の見込面１２４ａに対向している。室外側から下枠１２に落下して跳ね返った水や吹き込んできた水は、庇部１５２によって室内側への移動が妨げられることになる（図８の矢印参照）。
【００４４】
レール部１５１及び庇部１５２は、内障子２０の下框２２によって見込方向で挟まれる構造となっている。本実施形態では、カバー部２２２（下框２２）に、下方に開口するように形成される凹部２２２ａによってレール部１５１及び庇部１５２が見込方向で挟まれている（図４参照）。
【００４５】
また、本実施形態の内障子２０の下框２２には、カバー部２２２の室外側の下端から見込方向室内側に延出する框側庇部２２５が形成される。框側庇部２２５は、庇部１５２よりも下方で水平方向に沿って直線状に延びている。庇部１５２と框側庇部２２５の高さを異ならせることにより、室内側に通じる隙間がより小さくなるので、室内側への水の侵入を確実に防ぐことが可能になっている。
【００４６】
また、庇部１５２と框側庇部２２５の高さ方向の隙間を大きくとることもできるので、空気導入面積を確保しつつ、室内側への水の移動を妨げる構造が実現されている。これによって室内外の圧力差を小さくでき、圧力差によって水が室内側に引き込まれる事態の発生を効果的に防止できる。本実施形態の建具１は気圧差の生じ易い高層ビル等にも好適である。
【００４７】
また、本実施形態の内障子２０は、下框２２に取り付けられる框側水切材７０を備える。框側水切材７０の構成について説明する。図９は、本実施形態の内障子２０の下框２２に取り付けられる框側水切材７０の平面図である。図１０は、本実施形態の内障子２０の下框２２に取り付けられる框側水切材７０の側面図である。
【００４８】
図９及び図１０に示すように、本実施形態の框側水切材７０は、基部７１と、基部７１から下側に延びてレール部１５１及び庇部１５２に接触する庇接触部７２と、下框２２の室外側下端部に接触する框接触部７３と、を備える。庇接触部７２は、レール部１５１及び庇部１５２の形状に応じた切欠部７４が形成される。框接触部７３は、框側庇部２２５を見込方向で跨るように形成されている。
【００４９】
次に、框側水切材７０の位置について説明する。図１１は、本実施形態の室内側レール１２３に係合する内障子２０の下框２２を示す斜視図である。図１１に示すように、召内框２３の下部には召内框側ヒレ部材２３６が配置されている。召内框側ヒレ部材２３６は、気密材２３３の下方に位置している。内障子２０が閉鎖位置にある状態では、召内框側ヒレ部材２３６が下枠風止板６０の室外側延出部６１に接触する位置関係となっている。
【００５０】
框側水切材７０は、召内框側ヒレ部材２３６に対して戸先側に配置されている。図１１では、框接触部７３が框側庇部２２５を見込方向で跨いでいる様子が図示されている。框側水切材７０は、召内框側ヒレ部材２３６の近傍に位置している。これによって庇部１５２、框側庇部２２５又はその両方に付着した水が表面張力によって残ったとしても、下枠風止板６０や召内框側ヒレ部材２３６に至る動きも框側水切材７０によって遮ることができる。
【００５１】
また、框側水切材７０によって下框２２と室内側レール１２３の隙間の一部が塞がれているものの、上述のように、庇部１５２と框側庇部２２５が互い違いとなっており、隙間が確保されているので、圧力差が生じ難い構造となっている。
【００５２】
上記実施形態によれば、以下のような効果を奏する。
本実施形態の建具１が備える内障子２０の下框２２は、室内側レール１２３の上部を見込方向で挟み込むようにして当該室内側レール１２３に係合し、室内側レール１２３には、少なくとも見込方向室外側に延出する庇部１５２が形成される。
【００５３】
これにより、下枠１２に落下して跳ね返った水の室内側レール１２３を乗り越えようとする動きが庇部１５２によって遮られるので、建具１の水密性能を効果的に向上させることができる。
【００５４】
また、本実施形態の庇部１５２は、室内側レール１２３の上端から連続して見込方向室外側に延出する。
【００５５】
これにより、庇部１５２が室内側レール１２３の上端から連続しているので、庇部１５２の高さを大きく確保でき、下枠１２に落下して跳ね返った水の室内側への侵入を効果的に防止することができる。また、ユーザが室内側レール１２３を踏んだとしても、庇部１５２が連続しているのでユーザの足との接触面積が大きくなり、痛みを緩和できる。
【００５６】
また、本実施形態の庇部１５２は、室内側レール１２３に対して見込方向室外側のみに延出する。
【００５７】
これにより、庇部１５２が見込方向室内側にないので、室内側レール１２３の清掃を容易に行うことができる。
【００５８】
下框２２の下部には、室内側レール１２３の見込方向室内側に延びる框側庇部２２５を有する。
【００５９】
これにより、互い違いの方向に延びる庇部１５２と框側庇部２２５により、跳ね返った水や吹き込んだ水を遮る範囲を大きく確保でき、より一層水密性能を向上させることができる。
【００６０】
また、本実施形態の下框２２の下面には、下框２２の室外側の下端部及び庇部１５２の上部の両方に接触する框側水切材７０が配置される。
【００６１】
これにより、庇部１５２及び下框２２の室外側の下端部（框側庇部２２５）に付着した水が内障子２０の召内框２３に向かう動きが框側水切材７０によって遮られるので、構造上、水密性能が低くなり易い内障子２０端部での水密性の低下を防止できる。即ち、室内側への水の侵入防止と内障子２０端部での水密性の維持を両立できる。また、庇部１５２及び框側庇部２２５の面積を大きくすると、室内側への水の侵入をより効果的に防止できるものの表面張力によって水が残り易くなるが、框側水切材７０によって付着した水を取り除くことができるので、庇部１５２及び框側庇部２２５の面積を大きくして水の室内側への侵入を防止する性能をより一層向上させることができる。なお、框側水切材７０は、下框２２の室外側の下端部だけに接触する構成や庇部１５２の上部だけに接触する構成等、事情に応じてその形状を適宜変更することができる。
【００６２】
以上、本発明の好ましい実施形態について説明したが、本発明は、上述の実施形態に制限されるものではなく、適宜変更が可能である。
【００６３】
上記実施形態では、庇部１５２が室内側レール１２３（レール部１５１）の上端部から連続して見込方向室外側に延出する構成であるが、この構成に限定されない。室内側レール１２３の室外側の見付面から見込方向室外側に庇部が延出する構成とすることもできる。
【００６４】
上記実施形態では、庇部１５２が見込方向室外側のみに延出する構成であるが、この構成に限定されない。例えば、見込方向の室内外の両方に庇部が延び出る茸状に形成することもできる。
【符号の説明】
【００６５】
１  建具
１２  下枠
２０  内障子（障子）
２２  下框
７０  框側水切材
１２３  室内側レール（レール）
１５２  庇部
２２５  框側庇部
【図１】
2019163658.tif 000003
【図２】
2019163658.tif 000004
【図３】
2019163658.tif 000005
【図４】
2019163658.tif 000006
【図５】
2019163658.tif 000007
【図６】
2019163658.tif 000008
【図７】
2019163658.tif 000009
【図８】
2019163658.tif 000010
【図９】
2019163658.tif 000011
【図１０】
2019163658.tif 000012
【図１１】
2019163658.tif 000013